(57)【要約】【課題】サーバ装置によって管理されている情報を解釈して実行するのではなく、サーバ装置から取り込んだ情報を文書加工パラメータや出力パラメータに反映させることで、操作性のさらなる向上を可能にする。【解決手段】データ管理サーバ装置２０とネットワーク３０を介して接続された画像処理装置１０において、データ管理サーバ装置２０から取得した情報を文書加工パラメータに反映させたり、出力パラメータに反映させたりする。【選択図】図１
2008117101.tif 000002
【特許請求の範囲】
【請求項１】
画像データを処理する画像処理手段と、
前記画像処理手段で処理された画像データに基づく画像を形成する画像形成手段とを備え、
前記画像処理手段は、ネットワークを介して接続されたサーバ装置から当該サーバ装置が管理している情報を取得し、この取得した情報を前記画像データの加工パラメータおよび前記画像形成手段の出力パラメータの少なくとも一方に反映させる
ことを特徴とする画像処理装置。
【請求項２】
ネットワークを介して接続されたサーバ装置から当該サーバ装置が管理している情報を取得するステップと、
前記ステップで取得した情報を画像データを加工する際の加工パラメータおよび当該画像データに基づく画像を出力する際の出力パラメータの少なくとも一方に反映させるステップと
の各処理をコンピュータに実行させることを特徴とする画像処理プログラム。
【発明の詳細な説明】
【技術分野】
【０００１】
本発明は、画像処理装置および画像処理プログラムに関する。
【背景技術】
【０００２】
画像処理装置、例えば、コピー機能、プリント機能、ファクシミリ機能等の各機能を複合的に備えるいわゆる複合機と称される画像処理装置では、従来、簡便な装置構成および操作により多種多様な画像形成を実現するために、ネットワークを介してサーバ装置と通信を行い、当該サーバ装置によって管理される例えばアプリケーションの内容を閲覧して表示部に表示するとともに、操作部でのユーザによる操作に応じて表示部に表示されたアプリケーションをサーバ装置から取得し、この取得したアプリケーションを解釈して実行するようにしていた（例えば、特許文献１参照）。
【０００３】
【特許文献１】特開２００２−２５９０７１号公報
【発明の開示】
【発明が解決しようとする課題】
【０００４】
本発明は、サーバ装置によって管理されている情報を解釈して実行するのではなく、サーバ装置から取り込んだ情報を文書加工パラメータや出力パラメータ（印刷出力に関する属性情報）に反映させることで、操作性のさらなる向上を可能にした画像処理装置および画像処理プログラムを提供することを目的とする。
【課題を解決するための手段】
【０００５】
請求項１記載の画像処理装置は、画像データを処理する画像処理手段と、前記画像処理手段で処理された画像データに基づく画像を形成する画像形成手段とを備え、前記画像処理手段は、ネットワークを介して接続されたサーバ装置から当該サーバ装置が管理している情報を取得し、この取得した情報を前記画像データの加工パラメータおよび前記画像形成手段の出力パラメータの少なくとも一方に反映させることを特徴とする。
【０００６】
請求項２記載の画像処理プログラムは、ネットワークを介して接続されたサーバ装置から当該サーバ装置が管理している情報を取得するステップと、前記ステップで取得した情報を画像データを加工する際の加工パラメータおよび当該画像データに基づく画像を出力する際の出力パラメータの少なくとも一方に反映させるステップとの各処理をコンピュータに実行させることを特徴とする。
【発明の効果】
【０００７】
請求項１記載の画像処理装置によれば、サーバ装置から取得した情報を画像データの加工パラメータおよび画像形成手段の出力パラメータの少なくとも一方に反映させることにより、画像処理装置単独では取得できなかった情報をユーザの介在なしで設定できるとともに、複数の機能を１回の処理で設定できることによってユーザによる操作の手間を軽減できるために、画像形成に当たっての操作性のさらなる向上が可能になる。
【０００８】
請求項２記載の画像処理プログラムによれば、サーバ装置から情報を取得するステップと、この取得した情報を加工パラメータおよび出力パラメータの少なくとも一方に反映させるステップとの各処理をコンピュータに実行させることで、画像処理装置単独では取得できなかった情報をユーザの介在なしで設定できるとともに、複数の機能を１回の処理で設定できることによってユーザによる操作の手間を軽減できるために、画像形成に当たっての操作性のさらなる向上が可能になる。
【発明を実施するための最良の形態】
【０００９】
以下、本発明の実施の形態について図面を参照して詳細に説明する。
【００１０】
［画像処理システム］
図１は、本発明に係る画像処理装置を備えた画像処理システムの一例を示すシステム構成図である。
【００１１】
図１に示すように、本構成例に係る画像処理システムは、例えば１台の画像処理装置１０と、例えば１台のデータ管理サーバ装置２０とを備え、画像処理装置１０とデータ管理サーバ装置２０とがネットワーク３０を介して相互に通信可能に接続された構成となっている。なお、画像処理装置１０およびデータ管理サーバ装置２０の台数は１台に限られるものではない。
【００１２】
ここで、ネットワーク３０による接続形態としては、ＬＡＮ(Local Area Network)、インターネットや電話回線網、専用線を用いる形態や、相互に直結する形態など、種々の接続形態を採ることができる。
【００１３】
画像処理装置１０は、例えば、少なくとも操作部であるＵ／Ｉ（ユーザインターフェース）部１１と、表示部１２とを備えるとともに、コピー機能（画像読み取り装置）、プリント機能（画像形成装置／印刷装置）、ファクシミリ機能（文書送受信装置）等の各機能（装置）を装置本体１３内に持つ構成となっている。
【００１４】
データ管理サーバ装置２０は、例えばＷｅｂサーバであり、少なくとも画像処理装置１０の文書加工パラメータや出力パラメータ（印刷出力に関する属性情報）に反映可能な情報、例えば、スケジュール、名簿リスト、メールアドレスなどの情報を保存し、これらの情報をグループで作業を行うことを目的としたソフトウェアであるグループウェア（ＧｒｏｕｐＷａｒｅ）で管理する。
【００１５】
このように、画像処理装置１０とデータ管理サーバ装置２０とがネットワーク３０を介して接続されたシステム構成の画像処理システムにおいて、画像処理装置１０は表示部１２を備えていることで、データ管理サーバ装置２０に対してクライアントとしての表示装置にもなり得る。
【００１６】
また、画像処理装置１０は、所定のプロトコルによりデータ管理サーバ装置２０とネットワーク３０を介して通信を行うことで、データ管理サーバ装置２０が保存している情報を取得し、この取得した情報を文書加工パラメータに反映させて、画像読み取り装置やハードディスクなどから読み込んだ文書を加工したり、取得した情報を出力パラメータ（印刷出力に関する属性情報）に反映させて、画像形成装置（印刷装置）で画像形成したりする処理を実行する。
【００１７】
ここで、データ管理サーバ装置２０へのアクセス方法としては、あらかじめ設定しておいたところにジャンプする方法や、画像処理装置１０を使うときにデータ管理サーバ装置２０を指定する方法などが考えられる。
【００１８】
上述したように、本実施形態では、データ管理サーバ装置２０とネットワーク３０を介して接続された画像処理装置１０において、データ管理サーバ装置２０から取得した情報を単に解釈して実行するのではなく、当該取得した情報を文書加工パラメータに反映させたり、出力パラメータに反映させたりすることを特徴としている。なお、反映させるパラメータは、必ずしも文書加工パラメータおよび出力パラメータの双方である必要はなく、文書加工パラメータまたは出力パラメータであっても良い。
【００１９】
［画像処理装置］
図２は、画像処理装置１０の機能構成例を示す機能ブロック図である。ここでは、一例として、画像処理装置１０が文書加工などの処理を行う画像処理部１００に加えて、画像読み取り部２００および画像形成部（印刷部）３００を備えている場合を示している。
【００２０】
画像読み取り部２００は、原稿を読み取ってその画像データを画素処理部１００に入力する。画像形成部３００は、画像読み取り部２００から入力され、画像処理部１００で種々の画像処理が行われた画像データに基づく画像を用紙などの記録媒体に形成して出力する。
【００２１】
画像処理部１００は、コンピュータによって構成され、ＣＰＵ(Central Processing Unit:中央演算装置)１０１、Ｉ／Ｏ回路１０２、ＲＯＭ１０３、ＲＡＭ１０４およびＨＤＤ（ハードディスクドライブ）装置１０５などを有し、これら構成要素がバスライン１０６を介して接続された構成となっている。
【００２２】
ＣＰＵ１０１は、画像処理部１００が実行する後述する処理の制御を行う。Ｉ／Ｏ回路１０２は、周辺機器、具体的には画像読み取り部２００や画像形成部３００、さらにはネットワーク３０を介して接続されたデータ管理サーバ装置２０（図１参照）との入出力を管理する。
【００２３】
ＲＯＭ１０３は、ＣＰＵ１０１による制御の下に実行される各種処理の処理プログラムを格納する。ＲＡＭ１０４は、各種処理の実行時に使用される一次記憶装置である。ＨＤＤ１０５は、ＣＰＵ１０１による制御の下に処理された画像データなどの各種のデータを記憶する。
【００２４】
次に、上記構成の画像処理装置１０において、データ管理サーバ装置２０から取得した情報を文書加工パラメータおよび出力パラメータの少なくとも一方に反映させる際に、ＣＰＵ１０１による制御の下に実行される一連の処理について、図３の処理シーケンス図を用いて図４のフローチャートに沿って説明する。
【００２５】
ここでは、一例として、Ｕ／Ｉ部１１のプル（Ｐｕｌｌ）プリント／コピーの画面からグループウェアのスケジューラーにアクセスし、スケジュールの会議情報から、会議の内容、会議の日時、参加者の名前や参加人数、会議の場所などの情報を取得し、プルプリント／コピーの部数設定、複製管理、ヘッダー、フッター、ステップラー等の後処理の設定に反映させる場合を例に挙げて説明するものとする。
【００２６】
図５に、Ｕ／Ｉ部１１に表示されるコピー画面例を示す。先ず、ユーザによる操作により、図５（Ａ）のジョブ編集の「ＧｒｏｕｐＷａｒｅ会議情報」が指定されることで、データ管理サーバ装置２０にアクセスし、グループウェアのスケジューラーからスケジュールの会議情報を取得する（ステップＳ１１）。これにより、コピー画面には、図５（Ｂ）に示すように、「ＧｒｏｕｐＷａｒｅ会議情報」が表示される。
【００２７】
次に、図５（Ｂ）に示すコピー画面上において、会議情報、本例では「会議Ａ」の選択がユーザによって行われる（ステップＳ１２）。ここで、デフォルトは、例えば現時刻の会議とする。
【００２８】
会議情報が選択されると、コピー画面には、図５（Ｃ）に示すように、会議用にコピーする設定内容、例えば、部数、複製管理、ヘッダー、フッター、ステップラー等が表示される。ここでは、会議名をヘッダーとし、日時、場所をフッターとして印刷するようにしている。
【００２９】
次に、図５（Ｃ）に示すコピー画面上において、ユーザによって会議用にコピーする設定が選択され、「スタート」ボタンが押下されと（ステップＳ１３）、グループウェアのスケジューラーから取得した会議情報のうち、ユーザによって選択された情報を基にコピー機能、即ち文書加工パラメータや出力パラメータに反映させる（ステップＳ１４）。
【００３０】
ここで、データ管理サーバ装置２０から取得した情報を文書加工パラメータ／出力パラメータに反映させるときは、図３に示すように、設定内容を表示部１２に表示してユーザに確認させることも可能である。
【００３１】
上述した画像処理装置１０で実行される一連の処理を、画像処理部１００を構成するコンピュータに実行させる画像処理プログラムが本実施形態に係る画像処理プログラムである。
【００３２】
ここで、本実施形態に係る画像処理プログラムについては、本コンピュータのＲＯＭ１０３にあらかじめインストールしておくことが考えられる。ただし、本コンピュータのＲＯＭ１０３にあらかじめインストールすることに限定されるものではなく、有線若しくは無線による通信手段により提供（配信）することは勿論、コンピュータ読み取り可能なＣＤ−ＲＯＭ等の記憶媒体に格納して提供することも可能である。
【００３３】
なお、上記処理例では、Ｕ／Ｉ部１１のプルプリント／コピーの画面からグループウェアのスケジューラーにアクセスし、スケジュールの会議情報から、会議の内容、会議の日時、参加者の名前や参加人数、会議の場所などの情報を取得し、プルプリント／コピーの部数設定、複製管理、ヘッダー、フッター、ステップラー等の後処理の設定に反映させる場合を例に挙げて説明したが、この処理例に限られるものではない。
【００３４】
例えば、グループウェアで管理されている名簿リストを取得し、この取得した情報から複製管理、部数、ヘッダー、フッターに反映させる処理例が考えられる。用途としては、上記処理例の場合と同じである。
【００３５】
また、グループウェアで管理されているメールアドレスのリストを取得し、この取得した情報をメール送信の宛先一覧として利用する処理例が考えられる。メールであれば、グループのアドレス一覧があるホームページを開き、そこから宛先情報を取得することも可能である。
【００３６】
以上、本発明について実施形態を用いて説明したが、本発明の技術的範囲は上記実施形態に記載の範囲には限定されるものではなく、発明の要旨を逸脱しない範囲で上記実施形態に多様な変更または改良を加えることができ、そのような変更または改良を加えた形態も本発明の技術的範囲に含まれる。
【００３７】
例えば、本発明による画像処理装置の技術を、デジタルカメラで撮像した画像をプリントする、いわゆるデジカメプリントの技術に応用することも可能である。
【００３８】
また、上記実施形態では、コピー機能、プリント機能、ファクシミリ機能等の各機能を複合的に備える画像処理装置に適用した場合を例に挙げて説明したが、この適用例に限られるものではなく、少なくともプリント機能（画像形成装置／印刷装置）を備えた画像処理装置全般に対して適用可能である。
【００３９】
したがって、画像形成の対象となる画像データについても、画像読み取り装置（図２の画像読み取り部２００に相当）から入力される画像データに限られるものではなく、ＨＤＤ１０５（図２参照）に保存されている画像データや、ネットワーク３０を介して外部から入力される画像データなども画像形成の対象とすることができる。
【図面の簡単な説明】
【００４０】
【図１】本発明に係る画像処理装置を備えた画像処理システムの一例を示すシステム構成図である。
【図２】画像処理装置の機能構成例を示す機能ブロック図である。
【図３】本画像処理装置での処理の流れを示す処理シーケンス図である。
【図４】本画像処理装置での処理の手順を示すフローチャートである。
【図５】Ｕ／Ｉ部に表示されるコピー画面の一例を示す図である。
【符号の説明】
【００４１】
１０…画像処理装置、２０…データ管理サーバ装置、３０…ネットワーク、１００…画像処理部、２００…画像読み取り部、３００…画像形成部（印刷部）
【図１】
2008117101.tif 000003
【図２】
2008117101.tif 000004
【図３】
2008117101.tif 000005
【図４】
2008117101.tif 000006
【図５】
2008117101.tif 000007